(57)【要約】      （修正有）【課題】端末装置の呼び出しを高い無線リソース利用効率かつ低干渉で行う。【解決手段】端末装置は、それぞれ１つ以上のビームを形成する１つ以上の基地局装置と接続可能であり、ＲＲＣ＿Ｃｏｎｎｅｃｔｅｄ状態である第１の状態と、ＲＲＣ＿Ｉｄｌｅ状態である第２の状態と、第１の状態および第２の状態のいずれとも異なる第３の状態とのいずれかにおいて動作可能である。端末装置は、第３の状態において、１つ以上の基地局装置のいずれかとの接続を確立するとした場合に用いるべき接続対象ビームを設定し、トラッキングエリアの範囲内において接続対象ビームが遷移したことに基づいて、その接続対象ビームを形成する基地局装置に当該接続対象ビームに関する情報を報告する。【選択図】図５
2020115678.tif 000002
【特許請求の範囲】
【請求項１】
それぞれ１つ以上のビームを形成する１つ以上の基地局装置と接続可能であり、ＲＲＣ＿Ｃｏｎｎｅｃｔｅｄ状態である第１の状態と、ＲＲＣ＿Ｉｄｌｅ状態である第２の状態と、前記第１の状態および前記第２の状態のいずれとも異なる第３の状態とのいずれかにおいて動作可能な端末装置であって、
前記第３の状態において、前記端末装置が前記１つ以上の基地局装置のいずれかとの接続を確立するとした場合に用いるべき接続対象ビームを設定する設定手段と、
トラッキングエリアの範囲内において前記接続対象ビームが遷移したことに基づいて、当該接続対象ビームを形成する基地局装置に当該接続対象ビームに関する情報を報告する報告手段と、
を有することを特徴とする端末装置。
【請求項２】
前記報告手段は、前記第１の状態に遷移せずに前記接続対象ビームに関する情報を報告する、
ことを特徴とする請求項１に記載の端末装置。
【請求項３】
前記設定手段は、トラッキングエリア内の１つ以上のビームを前記接続対象ビームとして設定する、ことを特徴とする請求項１又は２に記載の端末装置。
【請求項４】
前記設定手段は、トラッキングエリアを超えない範囲のビームを前記接続対象ビームとして設定する、ことを特徴とする請求項１から３のいずれか１項に記載の端末装置。
【請求項５】
前記１つ以上の基地局装置のそれぞれは、それぞれが物理レイヤの制御を実行して１つ以上のビームを形成可能な１つ以上の装置を含み、
前記報告手段は、遷移前の前記接続対象ビームを形成する装置と遷移後の前記接続対象ビームを形成する装置とが異なる場合に、当該接続対象ビームに関する情報を報告する、
ことを特徴とする請求項１から４のいずれか１項に記載の端末装置。
【請求項６】
前記報告手段が前記接続対象ビームに関する情報を報告する条件を前記１つ以上の基地局装置の少なくともいずれかから受信する受信手段をさらに有する、
ことを特徴とする請求項１から５のいずれか１項に記載の端末装置。
【請求項７】
それぞれ１つ以上のビームを形成する１つ以上の基地局装置を含むネットワークにおけるネットワーク装置であって、
前記１つ以上の基地局装置と接続可能であり、ＲＲＣ＿Ｃｏｎｎｅｃｔｅｄ状態である第１の状態と、ＲＲＣ＿Ｉｄｌｅ状態である第２の状態と、前記第１の状態および前記第２の状態のいずれとも異なる第３の状態とのいずれかにおいて動作可能な端末装置から、前記端末装置が当該１つ以上の基地局装置のいずれかとの接続を確立するとした場合に用いるべき接続対象ビームに関する報告を、前記第３の状態においてトラッキングエリアの範囲内で前記接続対象ビームが遷移した前記端末装置から受信する受信手段と、
前記１つ以上の基地局装置によって形成される複数のビームのうちの、前記接続対象ビームを含んだ一部のビームを用いて前記端末装置に対してページングを行うように制御する制御手段と、
を有することを特徴とするネットワーク装置。
【請求項８】
前記ネットワーク装置は、前記１つ以上の基地局装置のそれぞれと接続されるコアネットワークのノードである、
ことを特徴とする請求項７に記載のネットワーク装置。
【請求項９】
前記ネットワーク装置は、前記１つ以上の基地局装置のそれぞれに含まれる、無線リソース制御（ＲＲＣ）レイヤより下位で物理レイヤを含むレイヤの制御を実行する第１の装置と前記第１の装置が制御するレイヤより上位でＲＲＣレイヤを含むレイヤの制御を実行する第２の装置のうちの、前記第２の装置である、
ことを特徴とする請求項７に記載のネットワーク装置。
【請求項１０】
前記ネットワーク装置は、前記１つ以上の基地局装置のそれぞれに含まれる、無線リソース制御（ＲＲＣ）レイヤより下位で物理レイヤを含むレイヤの制御を実行する第１の装置と前記第１の装置が制御するレイヤより上位でＲＲＣレイヤを含むレイヤの制御を実行する第２の装置のうちの、前記第１の装置である、
ことを特徴とする請求項７に記載のネットワーク装置。
【請求項１１】
前記接続対象ビームに関する報告を行う条件を前記端末装置へ通知する通知手段をさらに有する、
ことを特徴とする請求項７から１０のいずれか１項に記載のネットワーク装置。
【請求項１２】
それぞれ１つ以上のビームを形成する１つ以上の基地局装置と接続可能であり、ＲＲＣ＿Ｃｏｎｎｅｃｔｅｄ状態である第１の状態と、ＲＲＣ＿Ｉｄｌｅ状態である第２の状態と、前記第１の状態および前記第２の状態のいずれとも異なる第３の状態とのいずれかにおいて動作可能な端末装置によって実行される制御方法であって、
前記第３の状態において、前記端末装置が前記１つ以上の基地局装置のいずれかとの接続を確立するとした場合に用いるべき接続対象ビームを設定することと、
トラッキングエリアの範囲内において前記接続対象ビームが遷移したことに基づいて、当該接続対象ビームを形成する基地局装置に当該接続対象ビームに関する情報を報告することと、
を含むことを特徴とする制御方法。
【請求項１３】
それぞれ１つ以上のビームを形成する１つ以上の基地局装置を含むネットワークにおけるネットワーク装置によって実行される制御方法であって、
前記１つ以上の基地局装置と接続可能であり、ＲＲＣ＿Ｃｏｎｎｅｃｔｅｄ状態である第１の状態と、ＲＲＣ＿Ｉｄｌｅ状態である第２の状態と、前記第１の状態および前記第２の状態のいずれとも異なる第３の状態とのいずれかにおいて動作可能な端末装置から、前記端末装置が当該１つ以上の基地局装置のいずれかとの接続を確立するとした場合に用いるべき接続対象ビームに関する報告を、前記第３の状態においてトラッキングエリアの範囲内で前記接続対象ビームが遷移した前記端末装置から受信することと、
前記１つ以上の基地局装置によって形成される複数のビームのうちの、前記接続対象ビームを含んだ一部のビームを用いて前記端末装置に対してページングを行うように制御することと、
を含むことを特徴とする制御方法。
【請求項１４】
それぞれ１つ以上のビームを形成する１つ以上の基地局装置と接続可能であり、ＲＲＣ＿Ｃｏｎｎｅｃｔｅｄ状態である第１の状態と、ＲＲＣ＿Ｉｄｌｅ状態である第２の状態と、前記第１の状態および前記第２の状態のいずれとも異なる第３の状態とのいずれかにおいて動作可能な端末装置に備えられたコンピュータに、
前記第３の状態において、前記端末装置が前記１つ以上の基地局装置のいずれかとの接続を確立するとした場合に用いるべき接続対象ビームを設定させ、
トラッキングエリアの範囲内において前記接続対象ビームが遷移したことに基づいて、当該接続対象ビームを形成する基地局装置に当該接続対象ビームに関する情報を報告させる、
ためのプログラム。
【請求項１５】
それぞれ１つ以上のビームを形成する１つ以上の基地局装置を含むネットワークにおけるネットワーク装置に備えられたコンピュータに、
前記１つ以上の基地局装置と接続可能であり、ＲＲＣ＿Ｃｏｎｎｅｃｔｅｄ状態である第１の状態と、ＲＲＣ＿Ｉｄｌｅ状態である第２の状態と、前記第１の状態および前記第２の状態のいずれとも異なる第３の状態とのいずれかにおいて動作可能な端末装置から、前記端末装置が当該１つ以上の基地局装置のいずれかとの接続を確立するとした場合に用いるべき接続対象ビームに関する報告を、前記第３の状態においてトラッキングエリアの範囲内で前記接続対象ビームが遷移した前記端末装置から受信させ、
前記１つ以上の基地局装置によって形成される複数のビームのうちの、前記接続対象ビームを含んだ一部のビームを用いて前記端末装置に対してページングを行うように制御させる、
ためのプログラム。
【発明の詳細な説明】
【技術分野】
【０００１】
本発明は、無線通信におけるページング技術に関する。
【背景技術】
【０００２】
第３世代パートナーシッププロジェクトにおいて、第５世代（以下、「５Ｇ」と呼ぶ。）の新しい無線アクセス技術が検討されている（非特許文献１参照）。５Ｇシステムでは、ＮＲ  ｇＮＢとも称される基地局装置が、Ｃｅｎｔｒａｌ  Ｕｎｉｔ（ＣＵ）及びＤｉｓｔｒｉｂｕｔｅｄ  Ｕｎｉｔ（ＤＵ）と呼ばれる複数の装置を含んで構成されることが想定されている。なお、ＤＵは、Ｔｒａｎｓｍｉｓｓｉｏｎ  Ｒｅｃｅｉｖｅｒ  Ｐｏｉｎｔ（ＴＲＰ）とも呼ばれる。ここで、ＤＵは、少なくとも無線リソース制御（ＲＲＣ）レイヤより下位で少なくとも物理（ＰＨＹ）レイヤを含むレイヤの処理を行い、ＣＵは、ＤＵが制御を行うレイヤより上位でＲＲＣレイヤを含むレイヤの処理を行うことが想定されている。また、１つのＣＵには、複数のＤＵが接続されることが想定されている。さらに、１つのＤＵは、例えばビームフォーミングによって１つ以上のビームを形成して、そのビームの少なくともいずれかを用いて端末装置との接続を確立する。すなわち、基地局装置は、少なくとも１つのＣＵと、そのＣＵに接続された複数のＤＵとを含んで構成され、各ＤＵが１つ以上のビームを形成することによって、多数のビームを形成して、その複数のビームの少なくともいずれかで端末装置と接続する。
【先行技術文献】
【非特許文献】
【０００３】
【非特許文献１】３ＧＰＰ寄書、ＲＰ−１６０６７１、２０１６年３月
【非特許文献２】３ＧＰＰ、ＴＳ３６．３３１
【発明の概要】
【発明が解決しようとする課題】
【０００４】
従来のＬＴＥ（ロングタームエボリューション）システムでは、端末装置の呼び出し時に、コアネットワークから、同一のＴｒａｃｋｉｎｇ  Ａｒｅａ  Ｃｏｄｅ（ＴＡＣ）が付与された全基地局装置へ一斉にページングメッセージが送信される。そして、ページングメッセージを受信した基地局装置は、自身が提供するセルにおいて、無線信号によってそのページングメッセージを送出し、いずれかのセルに滞在する端末装置を呼び出す。このようなページング方式を５Ｇシステムにそのまま適用すると、多数のビームによってページングメッセージが送出されることとなるため、空間リソース等の無線リソースの浪費や、ページングメッセージによる他の信号への干渉が生じてしまいうる。
【０００５】
本発明は上記課題に鑑みなされたものであり、端末装置の呼び出しを高い無線リソース利用効率かつ低干渉で行う技術を提供することを目的とする。
【課題を解決するための手段】
【０００６】
上記目的を達成するため、本発明の一態様に係る端末装置は、それぞれ１つ以上のビームを形成する１つ以上の基地局装置と接続可能であり、ＲＲＣ＿Ｃｏｎｎｅｃｔｅｄ状態である第１の状態と、ＲＲＣ＿Ｉｄｌｅ状態である第２の状態と、前記第１の状態および前記第２の状態のいずれとも異なる第３の状態とのいずれかにおいて動作可能な端末装置であって、前記第３の状態において、前記端末装置が前記１つ以上の基地局装置のいずれかとの接続を確立するとした場合に用いるべき接続対象ビームを設定する設定手段と、トラッキングエリアの範囲内において前記接続対象ビームが遷移したことに基づいて、当該接続対象ビームを形成する基地局装置に当該接続対象ビームに関する情報を報告する報告手段と、を有する。
【０００７】
また、上記目的を達成するため、本発明の一態様に係るネットワーク装置は、それぞれ１つ以上のビームを形成する１つ以上の基地局装置を含むネットワークにおけるネットワーク装置であって、前記１つ以上の基地局装置と接続可能であり、ＲＲＣ＿Ｃｏｎｎｅｃｔｅｄ状態である第１の状態と、ＲＲＣ＿Ｉｄｌｅ状態である第２の状態と、前記第１の状態および前記第２の状態のいずれとも異なる第３の状態とのいずれかにおいて動作可能な端末装置から、前記端末装置が当該１つ以上の基地局装置のいずれかとの接続を確立するとした場合に用いるべき接続対象ビームに関する報告を、前記第３の状態においてトラッキングエリアの範囲内で前記接続対象ビームが遷移した前記端末装置から受信する受信手段と、前記１つ以上の基地局装置によって形成される複数のビームのうちの、前記接続対象ビームを含んだ一部のビームを用いて前記端末装置に対してページングを行うように制御する制御手段と、を有する。
【発明の効果】
【０００８】
本発明によれば、端末装置の呼び出しを高い無線リソース利用効率かつ低干渉で行うことができる。
【図面の簡単な説明】
【０００９】
【図１】無線通信システムの構成例を示す図。
【図２】端末装置及びネットワーク装置のハードウェア構成例を示す図。
【図３】端末装置の機能構成例を示す図。
【図４】ネットワーク装置の機能構成例を示す図。
【図５】無線通信システムで実行される呼び出し処理の流れの第１の例を示す図。
【図６】無線通信システムで実行される呼び出し処理の流れの第２の例を示す図。
【図７】無線通信システムで実行される呼び出し処理の流れの第３の例を示す図。
【発明を実施するための形態】
【００１０】
以下、図面を参照しながら本発明の実施の形態について説明する。
【００１１】
（無線通信システムの構成）
図１に、本実施形態に係る無線通信システムの構成例を示す。本実施形態に係る無線通信システムは、例えば第５世代（５Ｇ）の移動無線通信システムであり、基地局装置（ＮＲ  ｇＮＢ）と、端末装置とを含んで構成される。基地局装置と端末装置との間では、無線接続が確立されて、無線信号が送信又は受信される。基地局装置は、コアネットワークと例えば有線接続され（場合によっては無線区間を含む回線によって接続され）、コアネットワークを介して、他の基地局装置（不図示）に接続する。なお、コアネットワークは、例えばゲートウェイを介して、インターネット等の外部ネットワークへと接続しており、基地局装置は、コアネットワークを介して外部ネットワークへと接続可能である。なお、コアネットワークは、様々なコアネットワークのノードを含んで構成される。
【００１２】
本実施形態の基地局装置は、内部に、通信における下位レイヤの制御を実行する第１の部分（第１の制御装置）と、上位レイヤの制御を実行する部分（第２の制御装置）とを含んで構成される。図１では、第１の制御装置をＤＵ（Ｄｉｓｔｒｉｂｕｔｅｄ  Ｕｎｉｔ）／ＴＲＰ（Ｔｒａｎｓｍｉｓｓｉｏｎ  Ｒｅｃｅｉｖｅｒ  Ｐｏｉｎｔ）によって示し、第２の制御装置をＣＵ（Ｃｅｎｔｒａｌ  Ｕｎｉｔ）によって示している。なお、以下では、第１の制御装置をＤＵと呼び、第２の制御装置をＣＵと呼ぶ。ここで、本実施形態のＤＵは、少なくとも物理（ＰＨＹ）レイヤの制御を実行し、一方で、少なくとも無線リソース制御（ＲＲＣ）レイヤ以上の制御については実行しないように構成される。一方、ＣＵは、ＤＵより上位でＲＲＣレイヤを含むレイヤの制御を実行するように構成される。ＣＵには、１つのＤＵが接続されてもよいが、図１に示すように複数のＤＵが接続されうる。なお、ＣＵとＤＵとを接続する回線は、フロントホール回線と呼ばれる。ＣＵとＤＵは、図１のように直接接続されてもよいし、複数のＤＵと接続されたスイッチ（不図示）が、ＣＵと接続され、ＣＵと各ＤＵとの通信がスイッチによる制御に基づいて行われてもよい。なお、スイッチが用いられる場合、ＤＵ間の通信を、ＣＵを介さずに実行することができる。なお、以下では、ＤＵ並びにＣＵ（基地局装置）、及びコアネットワーク内の装置を、総称してネットワーク装置と呼ぶ。
【００１３】
ＤＵは、ビームフォーミングによって、複数のビームを形成することが可能である。図１に示すように、多数のＤＵが複数のビームを形成することによって、基地局装置が形成可能なビーム数が多くなり、結果として多くのユーザを収容し、トータルのスループットを増大させることができる。一方、収容されるユーザ数が多くなると、それに応じてページングメッセージが送信される回数も増大する。このとき、例えば同一のＴｒａｃｋｉｎｇ  Ａｒｅａ  Ｃｏｄｅ（ＴＡＣ）を付与された複数の基地局装置の全ＤＵが一斉に同一のページングメッセージを送出すると、その間、ページングメッセージの送信に無線リソースが占有されてしまう。また、このような場合、ページングメッセージが、ＴＡＣが同一の基地局装置及びＴＡＣが異なる基地局装置における通信に干渉してしまう確率が高くなってしまう。
【００１４】
これに対して、本実施形態では、端末装置は、いずれの基地局装置とも接続されていない非接続状態において、いずれかの基地局装置と接続を確立する場合に用いるべきビームを監視する。なお、以下では、基地局装置と接続を確立する場合に用いるべきビームのことを、接続対象ビームと呼ぶ。端末装置は、例えば自身が移動したことに応じて接続対象ビームが遷移したことに少なくとも基づいて、その接続対象ビームを形成する基地局装置に対して、その接続対象ビームに関する情報を報告する。そして、ネットワーク装置（ＤＵ／ＣＵ又はコアネットワーク内のノード）は、その情報に基づいて、ページングメッセージを送信するビームを限定する制御を実行する。
【００１５】
なお、端末装置は、接続対象ビームに関する情報の報告を、非接続状態のまま実行しうる。なお、ＬＴＥでは、ＲＲＣ＿Ｃｏｎｎｅｃｔｅｄ状態とＲＲＣ＿Ｉｄｌｅ状態とが定義されているが、例えばこれらの状態の間に、ＲＲＣ接続は確立されていないが所定の信号を送信することができる状態が定義されうる。このとき、ここでの非接続状態は、そのような、ＲＲＣ接続は確立されていないが所定の信号を送信できる状態を含む。
【００１６】
また、端末装置は、接続対象ビームに関する情報の報告を、非接続状態において接続対象ビームが遷移した回数にさらに基づいて、実行しうる。例えば、端末装置は、接続対象ビームが３回等の所定回数遷移するごとに、その時点での接続対象ビームに関する状態の報告を実行してもよい。なお、端末装置は、非接続状態が継続している間に接続対象ビームの遷移が所定回数に達するごとに、接続対象ビームを報告しうる。すなわち、端末装置は、例えば非接続状態が継続している場合、前回報告時から所定回数の接続対象ビームの遷移があった場合に、報告を行いうる。なお、端末装置が一度接続状態となることによって、ネットワーク機器は端末装置が接続に用いるビームを追跡することができる。このため、端末装置は、接続状態に遷移した時点で、この回数を０にリセットしうる。
【００１７】
また、端末装置は、接続対象ビームに関する情報の報告を、非接続状態において遷移した接続対象ビームの個数にさらに基づいて、実行しうる。例えば、端末装置は、接続対象ビームが２つのビームの間で交互に切り替わっている場合は、その回数によらずに、遷移した接続対象ビームの個数を「２」とカウントする。そして、端末装置は、その個数が例えば「３」等の所定個数に達した場合に、接続対象ビームを報告する。なお、端末装置は、非接続状態が継続している間に遷移した接続対象ビームの個数が所定個数に達するごとに、接続対象ビームを報告しうる。すなわち、端末装置は、例えば非接続状態が継続している場合、前回報告時から所定個数の接続対象ビームに遷移した場合に、報告を行いうる。なお、端末装置は、接続状態に遷移した時点で、この個数を０にリセットしうる。なお、端末装置は、接続対象ビームの遷移回数と遷移先の接続対象ビームの個数とを組み合わせて用いてもよい。例えば、接続対象ビームの遷移回数が所定回数に達するか、又は、遷移先の接続対象ビームの個数が所定個数に達した場合に、端末装置は、接続対象ビームを報告するようにしてもよい。
【００１８】
また、端末装置は、非接続状態において接続対象ビームが遷移した場合、その遷移前の接続対象ビームを提供するＤＵと遷移後の接続対象ビームを提供するＤＵとが異なることに応じて、接続対象ビームを報告するにしてもよい。なお、端末装置は、接続対象ビームの提供元のＤＵが変わらない場合は、例えば上述のように接続対象ビームの遷移回数と遷移先の接続対象ビームの個数とに基づいて、接続対象ビームの報告を行いうる。
【００１９】
なお、端末装置が接続対象ビームを報告する条件については、基地局装置から指定されうる。端末装置は、この条件を基地局装置から受信すると、その条件に従って接続対象ビームの報告を行いうる。なお、ここでの「基地局装置から受信」は、基地局装置を介してコアネットワークのノードから受信することをも含む。
【００２０】
一方、ネットワーク装置（基地局装置（ＤＵ／ＣＵ）又はコアネットワークのノード）は、端末装置から上述の接続対象ビームの報告を受信する。そして、ネットワーク装置は、１つ以上の基地局装置によって形成される複数のビームのうち、報告された接続対象ビームを含む一部のビームを用いてその端末装置へのページングを行うように制御を行う。例えば、ネットワーク装置は、接続対象ビームが遷移する度に端末装置が上述の報告をする場合、報告された接続対象ビームにおいてのみページングを行うように制御を行いうる。また、ネットワーク装置は、接続対象ビームが３回遷移する度に端末装置が上述の報告をする場合、接続対象ビーム、その接続対象ビームに隣接する第１のビーム及び第１のビームに隣接する第２のビームにおいて、ページングを行うように制御を行いうる。また、ネットワーク装置は、遷移した接続対象ビームの個数が３個となる度に端末装置が上述の報告をする場合も、接続対象ビーム、上述の第１のビーム及び第２のビームにおいて、ページングを行うように制御を行いうる。さらに、ネットワーク装置は、遷移前後の接続対象ビームを提供するＤＵが異なる度に端末装置が上述の報告を行う場合は、遷移後の接続対象ビームを提供するＤＵが提供する各ビームにおいて、ページングを行うように制御を行いうる。
【００２１】
なお、例えば上述の制御を行うネットワーク装置がコアネットワークのノードである場合、ページングを行うビームを形成するＤＵに対してのみ、ページングメッセージを送ることとなる。このため、そのＤＵが接続する第１のＣＵと異なる第２のＣＵ及び第１のＣＵ配下の他のＤＵへは、ページングメッセージが送信されない。このため、バックホール回線及びフロントホール回線、さらに、ページングを行わないＣＵ及びＤＵの負荷を減らすことができる。
【００２２】
また、例えば上述の制御を行うネットワーク装置がＣＵである場合、コアネットワークのノードは、例えば同一のＴＡＣを有する基地局装置（ＣＵ）に対してページングメッセージを送る。そして、ＣＵは、受信したページングメッセージが、自身の配下に存在するＤＵが形成するビームによって送信されるべき場合に、その配下のＤＵに対してページングメッセージを送信しうる。このため、不必要にフロントホール回線が浪費されることを防ぐことができる。また、ページングを行わないＤＵにはページングメッセージが送信されないため、多くのＤＵの負荷を減らすことができる。さらに、コアネットワークのノードは、ページングメッセージを送信すべきビームの情報を管理し、ページングメッセージの送信先を管理する必要がなくなるため、処理負荷が低減される。
【００２３】
また、例えば上述の制御を行うネットワーク装置がＤＵである場合、コアネットワークのノードは、例えば同一のＴＡＣを有する基地局装置（ＣＵ）に対してページングメッセージを送り、ＣＵは、配下の全ＤＵに対してページングメッセージを転送しうる。そして、ＤＵは、そのページングメッセージが自身によって形成されるビームによって送信されるべき場合に、そのページングメッセージを無線信号として送出する。これによれば、コアネットワークのノード及びＣＵは、ページングメッセージを送信すべきビームの情報を管理し、ページングメッセージの送信先を管理する必要がなくなるため、処理負荷が低減される。
【００２４】
以上のようにして、非接続状態の端末装置が、接続を確立するとした場合にどのビームを用いるべきかを示す情報を接続対象ビームの情報としてネットワーク側へと通知し、これにより、ネットワーク装置は、一部のビームのみを用いてページングを行う。これにより、無線リソースの浪費を防ぎ、他のビームでの通信への干渉を抑えることが可能となる。
【００２５】
以下では、このような処理を行う端末装置及びネットワーク装置の構成と、処理の流れについて説明する。
【００２６】
（ハードウェア構成）
図２に、端末装置及びネットワーク装置のハードウェア構成例を示す。端末装置及びネットワーク装置は、一例において、図２に示すようなハードウェア構成を有し、例えば、ＣＰＵ２０１、ＲＯＭ２０２、ＲＡＭ２０３、外部記憶装置２０４、及び通信回路２０５を有する。端末装置及びネットワーク装置では、例えばＲＯＭ２０２、ＲＡＭ２０３及び外部記憶装置２０４のいずれかに記録された、上述のような端末装置及びネットワーク装置の各機能を実現するプログラムがＣＰＵ２０１により実行される。
【００２７】
そして、端末装置及びネットワーク装置は、例えばＣＰＵ２０１により通信回路２０５を制御して、他の装置と通信を行う。なお、ネットワーク装置の通信回路２０５は、例えば、有線回線を通じて、他のネットワーク装置と通信を行うことができる。また、ネットワーク装置がＤＵである場合、通信回路２０５は、１つ以上（複数）のビームを形成して端末装置との間で無線通信することもできる。また、端末装置の通信回路２０５は、ＤＵの通信回路２０５によって形成されたビームのうちの少なくともいずれかと接続可能に構成され、これらのビームを用いてＤＵと無線通信することができるように構成される。なお、図２の構成において、端末装置及びネットワーク装置は、１つの通信回路２０５を有するような概略図を示しているが、これに限られず、複数の通信回路を有してもよい。例えば、ＤＵは、フロントホール回線による通信のための第１の通信回路と、無線通信のための第２の通信回路とを有する。また、ＣＵは、フロントホール回線による通信のための第１の通信回路と、コアネットワークとの通信のための第２の通信回路を有しうる。また、端末装置は、例えば第４世代以前の世代の無線通信規格に従う第１の通信回路と、第５世代の無線通信規格に従う第２の通信回路とを有してもよい。また、端末装置は、例えば無線ＬＡＮ等のセルラ以外の規格に関する無線通信回路を有してもよいし、さらに、例えばＵＳＢ接続等による有線接続時に用いられる有線通信回路を有してもよい。
【００２８】
なお、端末装置及びネットワーク装置は、各機能を実行する専用のハードウェアを備えてもよいし、一部をハードウェアで実行し、プログラムを動作させるコンピュータでその他の部分を実行してもよい。また、全機能がコンピュータとプログラムにより実行されてもよい。
【００２９】
（機能構成）
まず、図３を用いて端末装置の機能構成例について説明する。端末装置は、一例において、無線通信部３０１、接続対象ビーム監視部３０２、及び報告制御部３０３を含んで構成される。なお、端末装置は、これらのほかの、一般的な通信端末又は通信機能を有する電子機器であり、様々な機能部を有しうるが、ここでは説明を簡単にするため、これらの機能については図示していない。
【００３０】
無線通信部３０１は、不図示のアンテナを制御して、１つ以上の基地局装置内の１つ以上のＤＵが形成した複数のビームのうちの少なくともいずれかと接続可能なように構成される。無線通信部３０１は、例えば、送信対象のデータや、報告制御部３０３によって生成された情報からベースバンド信号を生成して、そのベースバンド信号を無線周波数の信号に変換して無線信号としてアンテナから出力することができる。また、無線通信部３０１は、アンテナを介して受信した無線信号をベースバンド信号に変換して、そのベースバンド信号から情報を取り出すことができる。
【００３１】
接続対象ビーム監視部３０２は、いずれの基地局装置とも接続が確立されていない非接続状態において、基地局装置のいずれかによって形成されているビームのうちのどのビームが、接続を確立するとした場合に用いるべき接続対象ビームとなるかを監視する。なお、例えば、ここでの接続はＲＲＣ接続であり、非接続状態はＲＲＣ＿Ｃｏｎｎｅｃｔｅｄ状態とは異なる状態である。例えば、接続対象ビーム監視部３０２は、各ビームから送信されている所定の信号（例えば参照信号）によって無線品質を観測し、その無線品質が最も良いビーム又は所定レベル以上のビームを、接続対象ビームとして決定する。なお、接続対象ビーム監視部３０２は、必ずしも１つのビームを接続対象ビームとして決定しなければならないわけではなく、複数の接続対象ビームを特定してもよいし、状況に応じて接続対象ビームが存在しないと判定してもよい。
【００３２】
報告制御部３０３は、接続対象ビーム監視部３０２による監視の結果得られた、接続対象ビームに関する情報を基地局装置（ネットワーク装置）へ報告するための制御を実行する。報告制御部３０３は、例えば、非接続状態において接続対象ビームの遷移が発生したことを条件に、接続対象ビームに関する情報を基地局装置へ通知するように無線通信部３０１を制御しうる。また、報告制御部３０３は、例えば、非接続状態において接続対象ビームの遷移が発生した回数が所定回数に達したことを条件に、接続対象ビームに関する情報を基地局装置へ通知するように無線通信部３０１を制御しうる。また、報告制御部３０３は、例えば、非接続状態において接続対象ビームの遷移先のビームの個数が所定個数に達したことを条件に、接続対象ビームに関する情報を基地局装置へ通知するように無線通信部３０１を制御しうる。また、報告制御部３０３は、例えば、非接続状態において接続対象ビームの遷移前のビームを提供するＤＵと遷移後のビームを提供するＤＵとが異なることを条件に、接続対象ビームに関する情報を基地局装置へ通知するように無線通信部３０１を制御しうる。また、報告制御部３０３は、接続対象ビームに関する情報の報告を以前行った時点から非接続状態のまま所定期間が経過したことに応じて、接続対象ビームに関する情報の報告を行ってもよい。なお、上述の条件は一例に過ぎず、報告制御部３０３は、これらの条件の組み合わせ又は他の条件に基づいて、接続対象ビームに関する情報の報告をするように無線通信部３０１を制御してもよい。なお、報告制御部３０３は、接続対象ビームに関する情報の報告を行う条件を、無線通信部３０１を介してネットワーク装置から受信してもよい。
【００３３】
なお、接続対象ビームに関する情報の報告は、例えばＲＲＣ接続が確立されることにより、送信されうるが、ＲＲＣ接続が確立されていない状態において（非接続状態において）送信されてもよい。例えば、ＲＲＣ＿Ｃｏｎｎｅｃｔｅｄ状態とＲＲＣ＿ｉｄｌｅ状態との中間の状態としてＲＲＣ接続は確立されていないが所定の信号の送信ができる状態が定義され、その中間の状態において、接続対象ビームに関する情報の報告が行われてもよい。
【００３４】
なお、報告制御部３０３は、例えば接続対象ビームの遷移前のＤＵが属する基地局装置のＴＡＣと、遷移後のＤＵが属する基地局装置のＴＡＣとが異なる場合、ＲＲＣ接続を確立して接続対象ビームに関する情報を、遷移後のＤＵへと送信するようにしうる。
【００３５】
次に、図４を用いてネットワーク装置の機能構成例について説明する。ネットワーク装置は、上述のように、例えばコアネットワークのノード、基地局装置内のＣＵ又はＤＵであり、これらのうちのいずれかに限定されない。このため、以下では、本実施形態に係る機能を実行するための機能に着目し、これらの装置ごとに固有の機能については説明を省略する。ネットワーク装置は、例えば、通信部４０１、接続対象ビーム情報取得部４０２、呼び出し制御部４０３、及び条件通知部４０４を含んで構成される。
【００３６】
通信部４０１は、例えば、ネットワーク装置がＤＵである場合は、不図示のアンテナを制御して１つ以上のビームを形成可能であり、それらのビームのうちの少なくとも１つを用いて端末装置と接続可能なように構成される。なお、通信部４０１は、ネットワーク装置がＤＵである場合、ＣＵと、ＣＵとＤＵとの間に配置されるスイッチと、又はスイッチを介して他のＤＵと、フロントホール回線によって通信することができるように構成される。また、ネットワーク装置がＣＵである場合、通信部４０１は、バックホール回線によってコアネットワーク内のノードや他の基地局装置内のＣＵと通信することができ、また、フロントホール回線によって配下のＤＵと通信することができる。また、ネットワーク装置がコアネットワークのノードである場合、通信部４０１は、バックホール回線によって基地局装置内のＣＵと通信することができる。
【００３７】
接続対象ビーム情報取得部４０２は、端末装置が報告した接続対象ビームに関する情報を取得する。例えば、ネットワーク装置がＤＵである場合は、接続対象ビーム情報取得部４０２は、端末装置から無線信号によって直接、接続対象ビームに関する情報を取得する。ネットワーク装置がＣＵである場合、接続対象ビーム情報取得部４０２は、ＤＵが端末装置から受信して転送した接続対象ビームに関する情報を取得する。また、ネットワーク装置がコアネットワークのノードである場合、接続対象ビーム情報取得部４０２は、ＤＵが端末装置から受信してＣＵへ転送し、ＣＵがさらに転送した接続対象ビームに関する情報を取得する。
【００３８】
呼び出し制御部４０３は、取得した接続対象ビームに関する情報に基づいて一部のビームを特定し、その特定したビームで端末装置への呼び出し（ページング）を行うための制御を実行する。これにより、不必要に多くのビームにおいてページングメッセージが送信されることがなくなり、無線リソースの利用効率が向上し、また、ページングメッセージが他の信号へ干渉することを防ぐことができる。
【００３９】
呼び出し制御部４０３は、このような制御のため、端末装置を特定する情報を、その端末装置から報告された接続対象ビームと関連付けて記憶して管理する。呼び出し制御部４０３は、例えば、ネットワーク装置がコアネットワークのノードである場合、自身の制御下にある全基地局装置によって形成可能なビームを接続対象ビームとする端末装置の情報を、その接続対象ビームと共に管理する。また、呼び出し制御部４０３は、例えば、ネットワーク装置がＣＵである場合、自身の配下にあるＤＵによって形成可能なビームを接続対象ビームとする端末装置の情報を、その接続対象ビームと共に管理する。また、呼び出し制御部４０３は、例えば、ネットワーク装置がＤＵである場合、自身が形成しているビームのいずれかを接続対象ビームとする端末装置の情報を、その接続対象ビームと共に管理する。
【００４０】
そして、呼び出し制御部４０３は、例えば、ネットワーク装置がコアネットワークのノードである場合、ある端末装置に対する呼び出しを実行する際に、その端末装置に対応する接続対象ビームを特定し、その特定したビームを形成するＤＵを特定する。そして、呼び出し制御部４０３は、そのＤＵを配下に有するＣＵに対して、特定したビームを指定したページングメッセージを送信する。ＣＵは、そのページングメッセージを受信すると、指定されたビームを形成するＤＵに対して、ページングメッセージを転送して、そのＤＵに、無線信号としてのページングメッセージを送出させる。この場合、ページングメッセージを送信しない基地局装置のＣＵへはページングメッセージが送信されないため、ＣＵの処理負荷を低減し、バックホール回線における通信量を減らすことができる。
【００４１】
一方、ネットワーク装置がＣＵである場合、コアネットワークのノードは、どの端末装置に宛てられたものであるかを示す情報を含んだページングメッセージを配下の全ＣＵに対して送信する。そして、ＣＵ内の呼び出し制御部４０３は、コアネットワークのノードからページングメッセージを受信すると、そのページングメッセージの宛先の端末装置を自身で管理しているか否かを判定する。そして、呼び出し制御部４０３は、宛先の端末装置を自身で管理している場合、その端末装置に対応する接続対象ビームを形成しているＤＵに対して、ページングメッセージを転送し、そのＤＵに、無線信号としてのページングメッセージを送出させる。この場合、コアネットワークのノードは、接続対象ビームに応じた処理を行わないため、少ない処理負荷でページングを行うことができる。また、ページングメッセージを送信しないＤＵへはページングメッセージが送信されないため、各ＤＵの処理負荷を低減し、フロントホール回線における通信量を減らすことができる。
【００４２】
また、ネットワーク装置がＤＵである場合、コアネットワークのノードは、どの端末装置に宛てられたものであるかを示す情報を含んだページングメッセージを配下の全ＣＵに対して送信する。また、ＣＵは、配下の全ＤＵに対してそのページングメッセージを転送する。そして、ＤＵ内の呼び出し制御部４０３は、ページングメッセージを受信すると、そのページングメッセージの宛先の端末装置を自身で管理しているか否かを判定する。そして、呼び出し制御部４０３は、宛先の端末装置を自身で管理している場合、その端末装置に対応する接続対象ビームで、無線信号としてのページングメッセージを送出する。この場合、コアネットワークのノード及びＣＵは、接続対象ビームに応じた処理を行わないため、少ない処理負荷でページングを行うことができる。
【００４３】
なお、呼び出し制御部４０３は、接続対象ビームにおいてのみページングメッセージを送信するのではなく、そのビームから所定範囲だけ離れたビームにおいてもページングメッセージを送信するようにすることができる。例えば、呼び出し制御部４０３は、１つ以上のビームが含まれる複数のグループが事前に構成される場合に、そのグループに含まれる全部又は一部のビームにおいてページングメッセージが送信されるように制御を行ってもよい。また、呼び出し制御部４０３は、接続対象ビームの報告条件（接続対象ビームの遷移回数／遷移先の個数／接続先ＤＵの遷移等）に応じて、ページングメッセージを送信すべきビームの範囲を定めてもよい。例えば、呼び出し制御部４０３は、接続対象ビームが２回遷移するごとに又は接続対象ビームの遷移先の個数が３個に達する度に報告が行われる場合、接続対象ビームとその隣接ビームとにおいてページングメッセージを送信しうる。また、呼び出し制御部４０３は、接続対象ビームに対応する遷移前後のＤＵが異なる場合、遷移後のＤＵが形成可能なビームにおいてページングメッセージを送信しうる。
【００４４】
条件通知部４０４は、接続対象ビームに関する情報の報告条件を端末装置へと通知する。なお、報告条件が事前に定められる場合は、条件通知部４０４は省略されてもよい。
【００４５】
なお、一部の機能は、例えば複数のネットワーク装置に分散されてもよい。例えば、呼び出し制御部４０３は、コアネットワークのノード又はＣＵとＤＵとに分散され、コアネットワークのノード又はＣＵは端末装置ごとに接続対象ビームを形成するＤＵの情報を管理し、ＤＵはその端末装置に対応する接続対象ビームの情報を管理しうる。そして、コアネットワークのノード又はＣＵは、ページングメッセージを端末装置に対応するＤＵに送信し、ＤＵは、そのページングメッセージを、その端末装置に対応するビームを含む１つ以上のビームによって送出しうる。
【００４６】
（処理の流れ）
続いて、上述のような端末装置及びネットワーク装置が実行する処理の流れについて説明する。まず、図５を用いて、ネットワーク装置がＤＵである場合の例について説明する。なお、本例では、説明を簡単にするため、ビーム群Ａを形成するＤＵ１とそのＤＵ１を配下に置くＣＵ１、ビーム群Ｂを形成するＤＵ２とそのＤＵ２を配下に置くＣＵ２、及びコアネットワークのノード（図５において「ＣＮ」と表す。）のみを示している。しかしながら、それぞれが多数のＤＵを配下に置く多数のＣＵが存在しうる。また、例えば異なるＴＡＣごとに異なるコアネットワークのノードが配置されてもよい。
【００４７】
まず、端末装置が、ビーム群Ａの範囲内に滞在しており（Ｓ５０１）、端末装置の接続対象ビームはビーム群Ａのうちの１つであるものとする。このとき、例えばＤＵ１から、接続対象ビームの報告条件が通知されてもよい（Ｓ５０２）。その後、端末装置が、非接続状態において、ビーム群Ａの範囲内に滞在したまま、例えば接続対象ビームの遷移回数が所定回数に達するなど、接続対象ビームの報告条件を満たしたものとする（Ｓ５０３）。すると、端末装置は、その時点での接続対象ビームに関する情報をＤＵ１に通知する（Ｓ５０４）。ＤＵ１は、報告された接続対象ビームと、その端末装置を特定する情報とを関連付けて記憶し、管理する（Ｓ５０５）。
【００４８】
その後、端末装置は、非接続状態のまま、ビーム群Ｂの範囲に移動し、接続対象ビームの報告条件を満たしたものとする（Ｓ５０６）。例えば、遷移前後の接続対象ビームを提供するＤＵが異なることが報告条件である場合、端末装置は、ビーム群Ｂの範囲に移動した場合に、接続対象ビームの報告条件を満たすこととなる。この場合、端末装置は、ＤＵ２に対して、接続対象ビームに関する情報を報告する（Ｓ５０７）。そして、ＤＵ２は、報告された接続対象ビームと、その端末装置を特定する情報とを関連付けて記憶し、管理する（Ｓ５０８）。
【００４９】
このとき、ＤＵ２とＤＵ１との間で、接続対象ビームと端末装置とを関連付ける情報の更新のための通知が送受信されてもよい。例えば、ＤＵ２は、更新後の情報を、（例えばＣＵ２及びＣＵ１を介して）ＤＵ１へと通知しうる。なお、ＤＵ１は、例えば所定期間にわたって接続対象ビームの報告を受信しないことに応じて、端末装置がビーム群Ａの範囲内に存在しなくなったと判定してもよい。これにより、ＤＵ１は、自身が形成しているビーム群Ａの範囲内に端末装置が存在しなくなったことを知ることができ、不要なページングメッセージの送信を行わないようにすることができる。
【００５０】
その後、端末装置に対するページングが発生したものとする。この場合、コアネットワークのノードは、まず、例えば自身が管理するＴＡＣに属する基地局装置のＣＵである、ＣＵ１及びＣＵ２に対してページングメッセージを送信する（Ｓ５０９）。そして、ＣＵ１及びＣＵ２は、それぞれ、ＤＵ１及びＤＵ２に、そのページングメッセージを転送する（Ｓ５１０）。ＤＵ２は、自身が形成するビーム群Ｂの範囲内に端末装置が存在するため、そのページングメッセージを無線信号として送出する（Ｓ５１１）。一方、ＤＵ１は、ビーム群Ａの範囲内に端末装置が存在しないため、ページングメッセージの送出を行わない。
【００５１】
次に、図６を用いて、ネットワーク装置がＣＵである場合の例について説明する。まず、端末装置が、ビーム群Ａの範囲内に滞在しており（Ｓ６０１）、端末装置の接続対象ビームはビーム群Ａのうちの１つであるものとする。このとき、例えばＣＵ１からＤＵ１を介して、接続対象ビームの報告条件が通知されてもよい（Ｓ６０２）。その後、端末装置が、非接続状態において、ビーム群Ａの範囲内に滞在したまま、接続対象ビームの報告条件を満たしたものとする（Ｓ６０３）。すると、端末装置は、その時点での接続対象ビームに関する情報をＤＵ１に通知し、ＤＵ１はその情報をＣＵ１へと転送する（Ｓ６０４）。ＣＵ１は、報告された接続対象ビームと、その端末装置を特定する情報とを関連付けて記憶し、管理する（Ｓ６０５）。
【００５２】
その後、端末装置は、非接続状態のまま、ビーム群Ｂの範囲に移動し、接続対象ビームの報告条件を満たしたものとする（Ｓ６０６）。この場合、端末装置は、ＤＵ２に対して、接続対象ビームに関する情報を報告し、ＤＵ２は、ＣＵ２へその情報を転送する（Ｓ６０７）。そして、ＣＵ２は、報告された接続対象ビームと、その端末装置を特定する情報とを関連付けて記憶し、管理する（Ｓ６０８）。
【００５３】
このとき、ＣＵ２とＣＵ１との間で、接続対象ビームと端末装置とを関連付ける情報の更新のための通知が送受信されてもよい。例えば、ＣＵ２は、更新後の情報を、（例えばコアネットワークを介して）ＣＵ１へと通知しうる。なお、ＣＵ１は、例えば所定期間にわたって接続対象ビームの報告を受信しないことに応じて、端末装置がビーム群Ａの範囲内に存在しなくなったと判定してもよい。これにより、ＣＵ１は、自身の配下のＤＵ１が形成しているビーム群Ａの範囲内に端末装置が存在しなくなったことを知ることができ、不要なページングメッセージの送信を行わないようにすることができる。
【００５４】
その後、端末装置に対するページングが発生したものとする。この場合、コアネットワークのノードは、まず、例えば自身が管理するＴＡＣに属する基地局装置のＣＵである、ＣＵ１及びＣＵ２に対してページングメッセージを送信する（Ｓ６０９）。そして、ＣＵ２は、自身の配下のＤＵ２が形成するビーム群Ｂの範囲内に端末装置が存在するため、ＤＵ２にそのページングメッセージを転送する（Ｓ６１０）。一方、ＣＵ１は、自身の配下のＤＵ１が形成するビーム群Ａの範囲内に端末装置が存在しないため、ＤＵ１にそのページングメッセージを転送しない。その後、ＤＵ２は、転送されてきたページングメッセージを無線信号として送出する（Ｓ６１１）。一方、ＤＵ１は、ページングメッセージを受信しないため、ページングメッセージを送出することはない。
【００５５】
なお、図６の例では、ＣＵのみが、端末装置とその対応する接続対象ビームとを関連付けて管理する場合について示したが、ＣＵとＤＵとによって制御が分散されてもよい。例えば、ＣＵは、端末装置と、接続対象ビームを提供するＤＵの情報とを関連付けて記憶し、ＤＵは、端末装置と接続対象ビームとを関連付けて記憶してもよい。例えば、ＣＵ１は、Ｓ６０５において端末装置とＤＵ１とを関連付けて管理し、ＤＵ１は、端末装置と接続対象ビームとを関連付けて管理する。また、ＣＵ２は、Ｓ６０８において端末装置とＤＵ２とを関連付けて管理し、ＤＵ２は、端末装置と接続対象ビームとを関連付けて管理する。これにより、例えば、ＣＵ１及びＣＵ２は、ページングメッセージを受信した場合に、自身の配下のＤＵにそのページングメッセージを転送するか否かを適切に制御することができる。また、ＣＵ１及びＣＵ２は、接続対象ビームについてまでは管理する必要がないため、管理する情報量を減らし、また、ＤＵからは端末装置の情報のみを受信すれば足りるため、フロントホール回線で送受信されるべき情報の量が削減されうる。また、ＤＵにおいてページングメッセージを送出するビームを適切に限定することができ、不必要なページングメッセージの送出が抑制される。
【００５６】
次に、図７を用いて、ネットワーク装置がコアネットワークのノードである場合の例について説明する。まず、端末装置が、ビーム群Ａの範囲内に滞在しており（Ｓ７０１）、端末装置の接続対象ビームはビーム群Ａのうちの１つであるものとする。このとき、例えばコアネットワークのノードからＣＵ１及びＤＵ１を介して、接続対象ビームの報告条件が通知されてもよい（Ｓ７０２）。その後、端末装置が、非接続状態において、ビーム群Ａの範囲内に滞在したまま、接続対象ビームの報告条件を満たしたものとする（Ｓ７０３）。すると、端末装置は、その時点での接続対象ビームに関する情報をＤＵ１に通知し、ＤＵ１はその情報をＣＵ１へと転送し、さらに、ＣＵ１はその情報をコアネットワークのノードに転送する（Ｓ７０４）。コアネットワークのノードは、報告された接続対象ビームと、その端末装置を特定する情報とを関連付けて記憶し、管理する（Ｓ７０５）。
【００５７】
その後、端末装置は、非接続状態のまま、ビーム群Ｂの範囲に移動し、接続対象ビームの報告条件を満たしたものとする（Ｓ７０６）。この場合、端末装置は、ＤＵ２に対して、接続対象ビームに関する情報を報告し、ＤＵ２はＣＵ２へその情報を転送し、ＣＵ２はコアネットワークのノードへその情報を転送する（Ｓ７０７）。そして、コアネットワークのノードは、報告された接続対象ビームと、その端末装置を特定する情報とを関連付けて記憶し、管理する（Ｓ７０８）。
【００５８】
その後、端末装置に対するページングが発生したものとする。この場合、コアネットワークのノードは、ＤＵ２が形成するビーム群Ｂの範囲内に端末装置が存在するため、ＤＵ２を配下に有するＣＵ２へ、ページングメッセージを送信する（Ｓ７０９）。一方、コアネットワークのノードは、ＣＵ１の配下のＤＵが形成するビーム群の範囲内には端末装置が存在しないため、ＣＵ１へはページングメッセージを送信しない。そして、ＣＵ２は、自身の配下のＤＵ２に、受信したページングメッセージを転送する（Ｓ７１０）。その後、ＤＵ２は、転送されてきたページングメッセージを無線信号として送出する（Ｓ７１１）。一方、ＣＵ１及びＤＵ１は、ページングメッセージを受信しないため、ＤＵ１からページングメッセージが送出されることはない。
【００５９】
なお、図７の例では、コアネットワークのノードのみが、端末装置とその対応する接続対象ビームとを関連付けて管理する場合について示したが、例えばコアネットワークのノードとＣＵ又はＤＵとによって制御が分散されてもよい。例えば、コアネットワークのノードは、端末装置と、接続対象ビームを提供するＤＵ又はそのＤＵを配下に有するＣＵの情報とを関連付けて記憶し、ＣＵ又はＤＵは、端末装置と接続対象ビームとを関連付けて記憶してもよい。例えば、コアネットワークのノードは、Ｓ７０５において端末装置とＤＵ１（又はＣＵ１）とを関連付けて管理し、ＤＵ１（又はＣＵ１）は、端末装置と接続対象ビームとを関連付けて管理する。また、コアネットワークのノードは、Ｓ７０８において端末装置とＤＵ２（又はＣＵ２）とを関連付けて管理し、ＤＵ２（又はＣＵ２）は、端末装置と接続対象ビームとを関連付けて管理する。これにより、例えば、コアネットワークのノードは、ページングメッセージの送信先のＣＵを適切に限定することができる。また、コアネットワークのノードは、接続対象ビームについてまでは管理する必要がないため、管理する情報量を減らし、また、ＤＵ（又はＣＵ）からは端末装置の情報のみを受信すれば足りるため、送受信されるべき情報の量が削減されうる。また、ＤＵ（又はＣＵ）において、ページングメッセージを送出するビームを適切に限定することができ、不必要なページングメッセージの送出が抑制される。
【００６０】
以上のように、本実施形態では、端末装置が、非接続状態において、基地局装置に接続するとした場合に用いるべき接続対象のビームを監視し、その接続対象ビームに関する情報をネットワーク装置へ通知する。そして、ネットワーク装置は、その通知に基づいて、使用可能なビームの一部を用いて端末装置に対するページングを行う。これにより、ページングメッセージが不必要に多くのビームで送出されることを防ぎ、無線リソースの利用効率を向上させ、また、他の信号へ与える干渉を抑えることができる。
【図１】
2020115678.tif 000003
【図２】
2020115678.tif 000004
【図３】
2020115678.tif 000005
【図４】
2020115678.tif 000006
【図５】
2020115678.tif 000007
【図６】
2020115678.tif 000008
【図７】
2020115678.tif 000009